【手続補正書】
【提出日】平成18年2月1日(2006.2.1)
【手続補正１】
【補正対象書類名】明細書
【補正対象項目名】特許請求の範囲
【補正方法】変更
【補正の内容】
【特許請求の範囲】
【請求項１】  式：
ＨＭ−−−−−ＣＭ
(式中、ＨＭはペプチド、炭水化物、光増感剤、および蛍光染料からなる群から選択されるハプテン分子であり；ＣＭはタンパク質、糖タンパク質、ポリペプチド、ポリサッカライド、包接化合物、ポリヌクレオチド、リポタンパク質および界面活性剤からなる群から選択される担体分子であり；そして点線は担体分子とハプテン分子の間の非共有結合である)
を有する非共有結合担体−ハプテンバイオコンジュゲートを含む組成物。
【請求項２】  ＨＭが、１０またはそれ以下のアミノ酸を含むペプチド、１０またはそれ以下のフラノースまたはピラノース部分を含むオリゴサッカライド、吸収および放出最大が２００−１２００nm範囲にある光増感剤、および吸収および放出最大が２００−１２００nm範囲にある蛍光染料からなる群から選択される、請求項１記載の組成物。
【請求項３】  ＣＭが、血清アルブミン、メチル化血清アルブミン、分子量２０００から２００００ダルトンのポリペプチド、および２０００から２００００ダルトンの分子量のポリサッカライド、２０００から１０００００ダルトンの分子量のポリヌクレオチド、シクロデキストリン、カリキサレン、および界面活性剤からなる群から選択される、請求項１記載の組成物。
【請求項４】  ＨＭが、４５０−９５０nmの範囲の吸収および放出最大の蛍光染料である、請求項１記載の組成物。
【請求項５】  ＣＭが、血清アルブミン、メチル化血清アルブミン、分子量２０００から２００００ダルトンのポリペプチド、および２０００から２００００ダルトンの範囲の分子量のポリサッカライド、ポリヌクレオチド、シクロデキストリン、カリキサレン、および界面活性剤からなる群から選択される、請求項４記載の組成物。
【請求項６】  ＨＭがシアニン、インドシアニン、スクアライン、ポルフィリン、ローズベンガル、およびメチレンブルー染料からなる群から選択される、請求項４記載の組成物。
【請求項７】  ＣＭがメチル化血清アルブミン、ポリアルギニン、ポリアスパラギン酸、ポリグルタミン酸、シクロデキストリンおよびイヌリンからなる群から選択される、請求項６記載の組成物。
【請求項８】  式：
ＨＭ−−−−−ＣＭ
(式中、ＨＭはペプチド、炭水化物、光増感剤、および蛍光染料からなる群から選択されるハプテン分子であり；ＣＭはタンパク質、糖タンパク質、ポリペプチド、ポリサッカライド、包接化合物、ポリヌクレオチド、リポタンパク質および界面活性剤からなる群から選択される担体分子であり；そして点線は担体分子とハプテン分子の間の非共有結合である)
を有する非共有結合担体−ハプテンバイオコンジュゲートの診断的または治療的有効量を含む診断用または治療用組成物であって、
バイオコンジュゲートを患者の組織または臓器の内部または周辺部に局在化させて患者で診断的または治療的手順を行うことを可能にする、組成物。
【請求項９】  該手順が光学的断層撮影イメージング手順、蛍光モニタリング手順、吸光度モニタリング手順および内視鏡試験手順からなる群から選択される、請求項８記載の組成物。
【請求項１０】  ＨＭが１０またはそれ以下のアミノ酸を含むペプチド、１０またはそれ以下のフラノースまたはピラノース部分を含むオリゴサッカライド、吸収および放出最大が２００−１２００nm範囲にある光増感剤、および吸収および放出最大が２００−１２００nm範囲にある蛍光染料からなる群から選択される、請求項８記載の組成物。
【請求項１１】  ＣＭが血清アルブミン、メチル化血清アルブミン、分子量２０００から２００００ダルトンのポリペプチド、および２０００から２００００ダルトンの範囲の分子量のポリサッカライド、２０００から１０００００ダルトンの範囲の分子量のポリヌクレオチド、シクロデキストリン、カリキサレン、および界面活性剤からなる群から選択される、請求項８記載の組成物。
【請求項１２】  ＨＭが４５０−９５０nmの範囲の吸収および放出最大の蛍光染料である、請求項８記載の組成物。
【請求項１３】  ＣＭが血清アルブミン、メチル化血清アルブミン、分子量２０００から２００００ダルトンのポリペプチド、および２０００から２００００ダルトンの範囲の分子量のポリサッカライド、ポリヌクレオチド、シクロデキストリン、カリキサレン、および界面活性剤からなる群から選択される、請求項８記載の組成物。
【請求項１４】  該手順が蛍光モニタリング手順である、請求項８記載の組成物。
【請求項１５】  ＨＭがシアニン、インドシアニン、スクアライン、ポルフィリン、ローズベンガル、およびメチレンブルー染料からなる群から選択される、請求項１４記載の組成物。
【請求項１６】  ＣＭがメチル化血清アルブミン、ポリアルギニン、ポリアスパラギン酸、ポリグルタミン酸、シクロデキストリンおよびイヌリンからなる群から選択される、請求項１５記載の組成物。
【請求項１７】  式：
ＨＭ−−−−−ＣＭ
(式中、ＨＭはペプチド、炭水化物、光増感剤、および蛍光染料からなる群から選択されるハプテン分子であり；ＣＭはタンパク質、糖タンパク質、ポリペプチド、ポリサッカライド、ポリヌクレオチド、リポタンパク質および界面活性剤からなる群から選択される担体分子であり；そして点線は担体分子とハプテン分子の間の非共有結合である)
を有する、ハプテンの血液持続性が変更された非共有結合担体−ハプテンバイオコンジュゲートを含む組成物。
【請求項１８】  ＨＭが、１０またはそれ以下のアミノ酸を含むペプチド、１０またはそれ以下のフラノースまたはピラノース部分を含むオリゴサッカライド、吸収および放出最大が２００−１２００nm範囲にある光増感剤、および吸収および放出最大が２００−１２００nm範囲にある蛍光染料からなる群から選択される、請求項１７記載の組成物。
【請求項１９】  ＣＭが、血清アルブミン、メチル化血清アルブミン、分子量２０００から２００００ダルトンのポリペプチド、および２０００から２００００ダルトンの範囲の分子量のポリサッカライド、２０００から１０００００ダルトンの範囲の分子量のポリヌクレオチド、シクロデキストリン、カリキサレン、および界面活性剤からなる群から選択される、請求項１７記載の組成物。
【請求項２０】  ＨＭが、４５０−９５０nmの範囲の吸収および放出最大の蛍光染料である、請求項１７記載の組成物。
【請求項２１】  ＣＭが、血清アルブミン、メチル化血清アルブミン、分子量２０００から２００００ダルトンのポリペプチド、および２０００から２００００ダルトンの範囲の分子量のポリサッカライド、ポリヌクレオチド、シクロデキストリン、カリキサレン、および界面活性剤からなる群から選択される、請求項２０記載の組成物。
【請求項２２】  ＨＭがシアニン、インドシアニン、スクアライン、ポルフィリン、ローズベンガル、およびメチレンブルー染料からなる群から選択される、請求項２０記載の組成物。
【請求項２３】  ＣＭがメチル化血清アルブミン、ポリアルギニン、ポリアスパラギン酸、ポリグルタミン酸、シクロデキストリンおよびイヌリンからなる群から選択される、請求項２２記載の組成物。
【請求項２４】  式：
ＨＭ−−−−−ＣＭ
(式中、ＨＭは蛍光染料からなるハプテン分子であり；ＣＭはタンパク質、糖タンパク質、ポリペプチド、ポリサッカライド、包接化合物、ポリヌクレオチド、リポタンパク質および界面活性剤からなる群から選択される担体分子であり；そして点線は担体分子とハプテン分子の間の非共有結合である)
を有する、蛍光染料のインビトロおよびインビボ蛍光寿命が増加した非共有結合担体−ハプテンバイオコンジュゲートを含む組成物。
【請求項２５】  ＨＭが、吸収および放出最大が２００−１２００nm範囲にある蛍光染料からなる群から選択される、請求項２４記載の組成物。
【請求項２６】  ＣＭが、血清アルブミン、メチル化血清アルブミン、分子量２０００から２００００ダルトンのポリペプチド、および２０００から２００００ダルトンの範囲の分子量のポリサッカライド、２０００から１０００００ダルトンの範囲の分子量のポリヌクレオチド、シクロデキストリン、カリキサレン、および界面活性剤からなる群から選択される、請求項２４記載の組成物。
【請求項２７】  ＨＭが、４５０−９５０nmの範囲の吸収および放出最大の蛍光染料である、請求項２４記載の組成物。
【請求項２８】  ＣＭが、血清アルブミン、メチル化血清アルブミン、分子量２０００から２００００ダルトンのポリペプチド、および２０００から２００００ダルトンの範囲の分子量のポリサッカライド、ポリヌクレオチド、シクロデキストリン、カリキサレン、および界面活性剤からなる群から選択される、請求項２７記載の組成物。
【請求項２９】  ＨＭが、シアニン、インドシアニン、スクアライン、ポルフィリン、ローズベンガル、およびメチレンブルー染料からなる群から選択される、請求項２７記載の組成物。
【請求項３０】  ＣＭが、メチル化血清アルブミン、ポリアルギニン、ポリアスパラギン酸、ポリグルタミン酸、シクロデキストリンおよびイヌリンからなる群から選択される、請求項２９記載の組成物。